(57)【要約】【課題】コストダウンを可能とする遊技機を提供する。【解決手段】本パチンコ機は、開閉扉６１を駆動することで大入賞口６５への遊技球の入球が困難な状態と容易な状態とに変更可能な大入賞口開閉ソレノイドを有する大入賞口装置６０を備えており、大入賞口装置６０は、大入賞口６５に入賞した遊技球が通過可能な通過領域６９５を有している。通過領域６９５の下方には、通過領域６９５から大入賞口装置６０の外部に連通する第１連通孔８９及び第２連通孔６９が配置されており、第１連通孔８９に配置された確変状態を設定する特定領域が使用されない場合に、特定領域開閉ソレノイド装置の代わりとして、第１連通孔８９に遊技球が入球不能となるように進出した状態で固定配置される進出部９０を有する設置部材が設置される。【選択図】図９
2019216858.tif 000002
【特許請求の範囲】
【請求項１】
可動部材を駆動することで大入賞口への遊技球の入球が困難な状態と容易な状態とに変更可能な大入賞口可変装置を有する大入賞口装置を備えた遊技機において、
前記大入賞口装置は、
前記大入賞口に入賞した遊技球が通過可能な通過領域と、
遊技球が通過可能な形状で前記通過領域から前記大入賞口装置の外部に連通する第１連通孔と、
遊技球が通過可能な形状で前記通過領域から前記大入賞口装置の外部に連通する第２連通孔と、
前記第１連通孔に遊技球が入球不能となるように前記第１連通孔又は前記通過領域に進出した状態で固定配置される進出部を有する設置部材と、を備える、
ことを特徴とする遊技機。
【請求項２】
前記第１連通孔に遊技球の通過を検出する遊技球検出センサを取付可能なセンサ取付部を有する、
ことを特徴とする請求項１に記載の遊技機。
【請求項３】
可動部材を駆動することで大入賞口への遊技球の入球が困難な状態と容易な状態とに変更可能な大入賞口可変装置を有する大入賞口装置を備えた遊技機において、
前記大入賞口装置は、
前記大入賞口に入賞した遊技球が通過可能な通過領域と、
遊技球が通過可能な形状で前記通過領域から前記大入賞口装置の外部に連通する第１連通孔と、
遊技球が通過可能な形状で前記通過領域から前記大入賞口装置の外部に連通する第２連通孔と、
前記第１連通孔に遊技球が入球不能となるように前記第１連通孔又は前記通過領域に進出した状態で固定配置される進出部を有する設置部材、及び、前記第１連通孔を遊技球が通過した場合に遊技状態を通常状態から内部抽選において特別遊技の当選確率を高くする確変状態に設定する特定領域と、駆動源の駆動により移動することで前記特定領域への遊技球の入球が困難な状態と容易な状態とに変更可能な移動部とを有する特定領域状態変更装置、の一方を取付可能な取付部と、を備える、
ことを特徴とする遊技機。
【発明の詳細な説明】
【技術分野】
【０００１】
本発明は、遊技機に関する。
【背景技術】
【０００２】
一般に、弾球式の遊技機（パチンコ機）では、遊技者のハンドル操作により遊技盤内の遊技領域に向かって遊技球が発射され、遊技領域を流下した遊技球が始動口に入球したことを条件に特別図柄に係る抽選が実行される。そして、遊技機では、特別図柄表示器において、特別図柄が変動表示され、さらに、抽選によって決定された特別図柄が停止表示されることで遊技者に抽選結果が報知される。このとき、遊技機では、特別図柄表示器に大当たりであることを示す特定の特別図柄が停止表示されると、通常の遊技に比べて遊技者に有利な特別遊技状態が開始される。特別遊技状態が開始された場合、遊技機では、アタッカー装置が所定回数開閉し、大入賞口への遊技球の入球が可能になるため、遊技者が多くの賞球の払い出しを受けることが可能となる。
【０００３】
このような遊技機の中には、特別遊技状態が開始された際に、アタッカー装置が開放されて大入賞口に入賞した遊技球が特定領域を通過したことに基づき、特別遊技状態の終了後における遊技状態を、特別遊技状態の当選確率を高くする確変状態に設定するものが提案されている（特許文献１参照）。この特許文献１のものは、大入賞口の内部に、特定領域と非特定領域（特定領域を通過しない遊技球の排出口）とを有していると共に、特別遊技状態における特定領域の遊技球の通過確率を変更するため、特定領域の開放又は閉鎖を行う蓋部材を進退させる制御を行っている。
【先行技術文献】
【特許文献】
【０００４】
【特許文献１】特開２０１２−２４５１７３号公報
【発明の概要】
【発明が解決しようとする課題】
【０００５】
ところで、遊技機の中には、遊技球が始動口に入球したことに基づく内部抽選で、特別遊技状態の終了後を確変状態にするか否かを決定するものもあり、このような遊技機にあっては、上述したような大入賞口の内部に特定領域を設ける必要がない。しかしながら、同じシリーズ（同じコンセプト）の遊技機同士で仕様が異なる、いわゆるバージョン違いの遊技機同士にあって、それぞれの大入賞口装置を別々に設計して製造することは、コストダウンの妨げになるという問題がある。
【０００６】
そこで本発明は、コストダウンを可能とする遊技機を提供することを目的とするものである。
【課題を解決するための手段】
【０００７】
本発明に係る遊技機は、
可動部材を駆動することで大入賞口への遊技球の入球が困難な状態と容易な状態とに変更可能な大入賞口可変装置を有する大入賞口装置を備えた遊技機において、
前記大入賞口装置は、
前記大入賞口に入賞した遊技球が通過可能な通過領域と、
遊技球が通過可能な形状で前記通過領域から前記大入賞口装置の外部に連通する第１連通孔と、
遊技球が通過可能な形状で前記通過領域から前記大入賞口装置の外部に連通する第２連通孔と、
前記第１連通孔に遊技球が入球不能となるように前記第１連通孔又は前記通過領域に進出した状態で固定配置される進出部を有する設置部材と、を備えることを特徴とする。
【発明の効果】
【０００８】
本発明によると、遊技機のコストダウンを可能とすることができる。
【図面の簡単な説明】
【０００９】
【図１】本実施形態に係るパチンコ機の斜視図である。
【図２】本実施形態に係る遊技盤の正面図である。
【図３】本実施形態に係るパチンコ機の各部を示すブロック図である。
【図４】本実施形態に係る第１形態の大入賞口装置の正面図である。
【図５】本実施形態に係る第１形態の大入賞口装置の断面を示す前方斜視図である。
【図６】本実施形態に係る第１形態の大入賞口装置の背面斜視図である。
【図７】本実施形態に係る第１形態の大入賞口装置における特定領域開閉ソレノイド装置を分解した状態の背面斜視図である。
【図８】本実施形態に係る特定領域開閉ソレノイド装置の前方斜視図である。
【図９】本実施形態に係る第２形態の大入賞口装置の断面を示す前方斜視図である。
【図１０】本実施形態に係る第２形態の大入賞口装置の背面斜視図である。
【図１１】本実施形態に係る第２形態の大入賞口装置における入球遮断部材を分解した状態の背面斜視図である。
【図１２】本実施形態に係る入球遮断部材の前方斜視図である。
【発明を実施するための形態】
【００１０】
以下、本実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。
【００１１】
１．構成
図１は、本発明の実施形態に係る遊技機であるパチンコ機１の斜視図である。図１に示すように、パチンコ機１は、略矩形状に組まれた四辺によって囲繞空間が形成される外枠２と、外枠２にヒンジ機構によって開閉自在に取り付けられた中枠４と、中枠４にヒンジ機構によって開閉自在に取り付けられた前枠６と、を備えている。
【００１２】
中枠４は、外枠２と同様に、略矩形状に組まれた四辺によって囲繞空間が形成されている。パチンコ機１では、中枠４の囲繞空間に遊技盤３０（図２参照）を保持している。また、前枠６には、ガラス製又は樹脂製の透過板１０が保持されている。そして、パチンコ機１では、中枠４及び前枠６を外枠２に対して閉じると、遊技盤３０の表面である遊技盤面３１（図２参照）と透過板１０とが所定の間隔を維持して略平行に対面するとともに、パチンコ機１の正面側から、透過板１０を介して遊技盤３０が視認可能となる。
【００１３】
前枠６の下部には、パチンコ機１の正面側に突出する操作ハンドル１２が設けられている。操作ハンドル１２には、遊技者によって回転操作可能な発射操作レバー１２ａが設けられており、遊技者が発射操作レバー１２ａを回転させて発射操作を行うと、発射操作レバー１２ａの回転角度に応じた強度で、不図示の発射機構によって遊技価値としての遊技球が発射される。このようにして発射された遊技球は、遊技盤３０に設けられたレール３２，３３間を上昇して遊技領域４０（図２参照）に導かれることになる。
【００１４】
図２は、本実施形態に係る遊技盤の正面図である。図２に示すように、遊技領域４０は、遊技盤３０と透過板１０との間隔に形成される空間であって、遊技球が流下又は転動可能な領域である。遊技盤３０には、多数の釘や風車が設けられており、遊技領域４０に導かれた遊技球が釘や風車に衝突して、不規則な方向に流下、転動するようにしている。
【００１５】
遊技領域４０は、発射機構の発射強度に応じて遊技球の進入度合いを互いに異にする第１遊技領域４０Ｌ及び第２遊技領域４０Ｒを備えている。第１遊技領域４０Ｌは、パチンコ機１に正対した遊技者から見て遊技領域４０の左側に位置し、第２遊技領域４０Ｒは、パチンコ機１に正対した遊技者から見て遊技領域４０の右側に位置している。パチンコ機１では、レール３３が遊技領域４０の左側の上部で途切れていることから、発射機構によって所定の強度未満の発射強度で発射された遊技球が第１遊技領域４０Ｌに進入し、所定の強度以上の発射強度で発射された遊技球が第２遊技領域４０Ｒに進入することになる。
【００１６】
また、遊技領域４０には、遊技球が入球可能な第１始動口５１、第２始動口５２、複数の第１一般入賞口５８、第２一般入賞口５９、が設けられており、詳細には、第１遊技領域４０Ｌに進入した遊技球は、第１始動口５１、複数の第１一般入賞口５８に入球可能であり、第２遊技領域４０Ｒに進入した遊技球は、第２始動口５２、第２一般入賞口５９に入球可能とあるように構成されている。第１始動口５１、第２始動口５２、第１一般入賞口５８、第２一般入賞口５９のそれぞれに遊技球が入球すると、それぞれに設定された所定の賞球が遊技者に払い出される。なお、パチンコ機１において、賞球数は、１個以上であれば何個でもよく、また、第１始動口５１、第２始動口５２、第１一般入賞口５８、第２一般入賞口５９のそれぞれで払い出す賞球数を異ならせてもよいし、同じ賞球数に設定してもよい。パチンコ機１では、第１始動口５１に遊技球が入球して払い出す賞球数を、第２始動口５２に遊技球が入球して払い出す賞球数よりも少なく設定することも可能である。
【００１７】
本実施形態のパチンコ機１では、第１始動口５１内に第１始動領域が設けられ、第２始動口５２内に第２始動領域が設けられている。そして、パチンコ機１では、第１始動口５１又は第２始動口５２に遊技球が入球して第１始動領域又は第２始動領域に遊技球が進入すると、予め設けられた複数の特別図柄の中からいずれか１つの特別図柄を決定するための内部抽選が行われる。各特別図柄には、遊技者にとって有利な特別遊技状態としての大当り遊技の実行可否や、以後の遊技状態をどのような遊技状態にするかといった種々の特典（遊技利益）が対応付けられている。したがって、遊技者は、第１始動口５１又は第２始動口５２に遊技球が入球すると、所定の賞球を獲得するのと同時に、種々の特典を受ける権利獲得の抽選の機会を獲得することとなる。
【００１８】
また、第２始動口５１には、可動片５２ａが開閉可能に設けられており、可動片５２ａの状態に応じて、第２始動口５２への遊技球の進入容易性が変化するように構成されている。具体的には、可動片５２ａが閉状態にあるときには、第２始動口５２への遊技球の入球が不可能となり、可動片５２ａが開き、遊技球の直径よりも開いた状態にあるときには、第２始動口５２への遊技球の入球が可能となっている。
【００１９】
パチンコ機１では、第２遊技領域４０Ｒに設けられたゲート５３内の進入領域を遊技球が通過すると、普通図柄の抽選が行われ、抽選によって当たりに当選すると、可動片５２ａが所定時間、開状態に制御される。可動片５２ａが開状態に制御されることで、本実施形態のパチンコ機１では、可動片５２ａが遊技球を第２始動口５２に導く受け皿として機能し、第２始動口５２への遊技球の入球が容易となる。なお、パチンコ機１は、可動片５２ａが閉状態にあるときに、第２始動口５２への遊技球の入球が不可能となるように構成されているが、第２始動口５２が閉状態にある場合にも一定の頻度で遊技球が入球可能となるように構成されていてもよい。
【００２０】
なお、第２遊技領域４０Ｒの上部には、ワープ導入口５６及びワープ排出口５７が設けられており、第２遊技領域４０Ｒに進入した遊技球のうち、右側を流下する遊技球はワープ導入口５６から遊技盤３０の背面側を通過してワープ排出口５７に導かれ、再度、ゲート５３の上部で第２遊技領域４０Ｒに戻される。
【００２１】
第２遊技領域４０Ｒの下方側には、遊技球が入球可能な大入賞口６５を有する大入賞口装置６０が設けられている。大入賞口装置６０には、開閉扉６１が大入賞口６５を開閉可能となるように設けられており、通常、開閉扉６１が大入賞口６５を閉鎖して、大入賞口６５への遊技球の入球が不可能となっている。これに対して、パチンコ機１では、大当り遊技が実行されると、開閉扉６１が開放されて、大入賞口６５への遊技球の入球が可能となる。なお、大入賞口装置６０には、開閉扉６１の開閉と連動して上下に回動する回動部材６２が設けられており、開閉扉６１が開放された際に回動部材６２が上方に回動して、上方から流下してくる遊技球を受け止めて大入賞口６５に導き易くなる入賞補助を行うように構成されている。
【００２２】
そして、大入賞口６５に遊技球が入球すると、大入賞口検出センサ６７により遊技球の通過が検出され、所定の賞球が遊技者に払い出される。そして、大入賞口６５に入球した遊技球は、詳しくは後述する第１形態のパチンコ機１では、下方側に配置された第１連通孔８９又は第２連通孔６９を通過して大入賞口装置６０の背面側から外部に排出され、詳しくは後述する第２形態のパチンコ機１では、下方側に配置された第２連通孔６９を通過して大入賞口装置６０の背面側から外部に排出される。なお、上記大入賞口検出センサ６７を通過した遊技球は、遊技球検出センサである大入賞口排出検出センサ６８（或いは特定領域検出センサ８８（図５参照））により通過が検出され、所定時間以内に大入賞口装置６０の第１連通孔８９又は第２連通孔６９から遊技盤３０の背面に適切に排出されたか否かが検出される。
【００２３】
また、第２始動口５２及び大入賞口６５に入球しなかった遊技球は、大入賞口装置６０をそのまま通過して、第２一般入賞口５９の上方に導かれ、第２一般入賞口５９に入賞するか、或いはそのまま下方に流下する。なお、第２一般入賞口５９は、例えば賞球を１個に設定し、第１遊技領域４０Ｌを狙って遊技球を発射すべき状態で入賞を検出した際に、第１遊技領域４０Ｌを狙うべき旨（つまり左打ちの推奨）を報知するように構成しておくことが可能である。
【００２４】
そして、遊技領域４０の最下部には、第１一般入賞口５８、第１始動口５１、第２始動口５２、大入賞口６５、第２一般入賞口５９、のいずれにも入球しなかった遊技球を、遊技領域４０から遊技盤３０の背面側に排出する排出口５５が設けられている。
【００２５】
また、図１及び図２に示すように、パチンコ機１には、遊技の進行中等に演出を行う演出装置として、液晶表示装置からなる演出表示装置４００、演出役物装置４１０、さまざまな点灯態様や発光色に制御されるランプからなる演出照明装置４２０、スピーカからなる楽曲出力装置４３０、遊技者の演出に関する操作を受け付ける演出操作装置４５０が設けられている。
【００２６】
演出表示装置４００は、遊技盤３０の略中央部分において、パチンコ機１の正面側から視認可能な位置に画像を表示する画像表示部４００ａを備えている。演出表示装置４００は、図２に示すように、画像表示部４００ａに左側、中央、右側にそれぞれ配置された演出図柄４０１Ｌ、４０１Ｃ，４０１Ｒが変動表示され、演出図柄４０１Ｌ、４０１Ｃ，４０１Ｒの停止表示態様によって大当り抽選結果が遊技者に報知される変動演出が実行されることとなる。
【００２７】
演出役物装置４１０は、演出表示装置４００の画像表示部４００ａよりも前方に配置され、通常、画像表示部４００ａの表示を邪魔しないように縮退しているが、演出図柄４０１Ｌ、４０１Ｃ，４０１Ｒの変動表示中等に、画像表示部４００ａの前方に進出するように移動する等して、遊技者に大当たりの期待感を付与するものである。
【００２８】
図１及び図２に示すように、演出照明装置４２０は、例えば光源としてのＬＥＤやＬＥＤから照射される光を拡散するレンズ等を有して構成され、演出役物装置４１０や遊技盤３０等に設けられており、演出表示装置４００に表示される画像等に合わせて、さまざまに点灯制御される。
【００２９】
図１に示すように、楽曲出力装置４３０は、前枠６の上部位置や外枠２の最下部位置に設けられた、いわゆるスピーカであって、演出表示装置４００に表示される画像等に合わせて、パチンコ機１の正面側に向けてさまざまな楽曲を出力する。なお、楽曲とは、楽音、噪音、音声、擬音等、音に関するすべての概念を含む。
【００３０】
演出操作装置４５０は、遊技者の押下操作を受け付ける演出押下ボタン４５１と、遊技者の演出操作装置４５０全体を回動させる回動操作を受け付ける演出回動レバー４５２を有しており、パチンコ機１の幅方向略中央位置であって、かつ、透過板１０よりも下方位置に設けられている。演出操作装置４５０は、演出表示装置４００に表示される画像等に合わせて有効化され、操作有効期間内に遊技者の操作を受け付けると、当該操作に応じて、演出表示装置４００や演出役物装置４１０を用いたさまざまな演出が実行される。
【００３１】
また、演出操作装置４５０の後方には、パチンコ機１から払い出される賞球や、遊技球貸出装置から貸し出される遊技球が導かれる上皿２２が設けられ、上皿２２の下方に下皿２４が設けられている。パチンコ機１では、上皿２２が遊技球で一杯になると、上皿２２に進入できない遊技球が下皿２４に導かれることとなる。また、下皿２４の底面には、下皿２４から遊技球を排出するための球抜き孔（不図示）が形成されている。球抜き孔は、通常、開閉板（不図示）によって閉じられているが、球抜きボタン２４ａを押下操作することにより、上記開閉板がスライド移動する等して球抜き孔が開放され、球抜き孔から下皿２４の下方に遊技球を排出することが可能となっている。
【００３２】
そして、図２に示すように、遊技盤３０には、遊技領域４０の外方であって、かつ、遊技者が視認可能な位置に、遊技に係る種々の状況を表示するための装置として、第１特別図柄表示器７１、第２特別図柄表示器７２、第１特別図柄保留表示器７３、第２特別図柄保留表示器７４、普通図柄表示器７５、普通図柄保留表示器７６、及び右打ち報知表示器７７（図３参照）を有する情報表示装置７０が設けられている。
【００３３】
図３は、本実施形態に係るパチンコ機１の各部を示すブロック図である。主制御基板で構成される主制御部１００は、遊技の進行を制御し、メインＣＰＵ１００ａと、メインＲＯＭ１００ｂと、メインＲＡＭ１００ｃと、を備えている。メインＣＰＵ１００ａは、各検出スイッチや払出・発射制御部３００からの入力信号に基づいて、メインＲＯＭ１００ｂに格納されたプログラムを読み出して演算処理を行うとともに、各装置や表示器を直接制御したり、あるいは演算処理の結果に応じて他の制御部に主制御部１００で生成したコマンドを送信したりすることで、遊技の進行に係る制御処理を実行する。メインＲＡＭ１００ｃは、メインＣＰＵ１００ａの演算処理時におけるデータのワークエリアとして機能する。
【００３４】
主制御部１００には、第１一般入賞口５８に遊技球が入球したことを検出する第１一般入賞口検出スイッチ５８ｓと、第２一般入賞口５９に遊技球が入球したことを検出する第２一般入賞口検出スイッチ５９ｓと、第１始動口５１に遊技球が入球したことを検出する第１始動口検出スイッチ５１ｓと、第２始動口５２に遊技球が入球したことを検出する第２始動口検出スイッチ５２ｓと、ゲート５３を遊技球が通過したことを検出するゲート検出スイッチ５３ｓと、大入賞口６５に遊技球が入球したことを検出する大入賞口検出センサ６７（図２参照）に設けられた大入賞口検出スイッチ６５ｓと、大入賞口６５から遊技球が排出されたことを検出する大入賞口排出検出センサ６８（図２参照）に設けられた大入賞口排出検出スイッチ６８ｓとが接続されており、各検出スイッチから出力される検出信号が主制御部１００に入力されるよう構成されている。
【００３５】
また、主制御部１００には、第２始動口５２の可動片５２ａを作動する普通電動役物ソレノイド５２ｓｏと、大入賞口６５を開閉する開閉扉６１を作動する大入賞口ソレノイド６１ｓｏと、回動部材６２を作動する大入賞口補助ソレノイド６２ｓｏとが接続されており、主制御部１００によって、第２始動口５２及び大入賞口６５の開閉制御、大入賞口６５への入賞補助制御が実行されるよう構成されている。
【００３６】
また、主制御部１００には、第１特別図柄表示器７１と、第２特別図柄表示器７２と、第１特別図柄保留表示器７３と、第２特別図柄保留表示器７４と、普通図柄表示器７５と、普通図柄保留表示器７６と、右打ち報知表示器７７と、が接続されており、主制御部１００によって、これら各表示器の表示制御が実行される。
【００３７】
本実施形態のパチンコ機１では、主に第１始動口５１又は第２始動口５２への遊技球の入球によって開始される特別遊技と、ゲート５３を遊技球が通過することによって開始される普通遊技と、に遊技の種別が大別される。そして、主制御部１００のメインＲＯＭ１００ｂには、特別遊技及び普通遊技を進行するための種々のプログラムや、各種の遊技に必要なデータ、テーブルが記憶されている。
【００３８】
メインＣＰＵ１００ａでは、例えば、発生させた乱数を用いて実行する特別図柄の当否に係る内部抽選、普通電動役物ソレノイド５２ｓｏに信号を出力し可動片５２ａを作動させる制御、大入賞口ソレノイド６１ｓｏに信号を出力し開閉扉６１を作動させる制御、大入賞口補助ソレノイド６２ｓｏに信号を出力し回動部材を作動させる制御、内部抽選における特別図柄の当選確率を変更する制御等、遊技の進行に係る制御を実行する。メインＣＰＵ１００ａは、各制御の結果や、各検出スイッチから入力された検出信号をコマンド（主制御コマンド）に変換し、払出・発射制御部３００や副制御部２００に送信する。なお、特別図柄の当選確率を変更する制御とは、大当り遊技の終了後の遊技状態を、内部抽選における特別図柄の当選確率を、通常の確率とする通常状態と、通常の確率よりも上昇する確変状態と、のいずれかに決定する遊技状態決定制御のことを指している。この遊技状態決定制御の詳細については後述する。
【００３９】
払出・発射制御部３００は、遊技球を発射させるための制御及び賞球を払い出すための制御を行う。払出・発射制御部３００も、主制御部１００と略同様に、図示を省略したＣＰＵ、ＲＯＭ、ＲＡＭを備えており、主制御部１００に対して双方向に通信可能に接続されている。払出・発射制御部３００には、遊技情報出力端子板３１１が接続されており、主制御部１００から出力される遊技進行上の種々の情報が、払出・発射制御部３００及び遊技情報出力端子板３１１を介して、外部カウンタや遊技店のホールコンピュータ等に出力されることとなる。
【００４０】
また、払出・発射制御部３００には、貯留部に貯留された遊技球を賞球として遊技者に払い出すための払出モータ３１２が接続されている。払出・発射制御部３００は、主制御部１００から送信された払出個数指定コマンドに基づいて払出モータ３１２を制御して所定の賞球を遊技者に払い出すように制御する。このとき、パチンコ機１では、払い出された遊技球数が払出球計数スイッチ３１３ｓによって検出され、払い出すべき賞球が遊技者に払い出されたかが把握されるように構成されている。
【００４１】
また、払出・発射制御部３００には、下皿２４の満タン状態を検出する皿満タン検出スイッチ３１４ｓが接続されている。皿満タン検出スイッチ３１４ｓは、遊技球を上皿２２から下皿２４に導く通路に設けられており、皿満タン検出スイッチ３１４ｓにおける遊技球の有無を遊技球検出信号として払出・発射制御部３００に出力するように構成されている。即ち、払出・発射制御部３００は、遊技球検出信号が所定時間連続して入力された場合に、下皿２４が満タン状態であると判断し、遊技球検出信号の連続入力が途絶えた場合には、満タン状態が解除されたと判断する。なお、下皿２４が満タン状態であると判断される場合、例えば副制御部２００が演出表示装置４００や楽曲出力装置４３０等を用いて遊技者に下皿２４が満タン状態であることを報知する。
【００４２】
また、払出・発射制御部３００には、遊技球の発射制御を行う払出・発射制御回路３０１が設けられている。払出・発射制御部３００には、操作ハンドル１２に設けられ、当該操作ハンドル１２に遊技者が触れたことを検出するタッチセンサ１２ｓと、発射操作レバー１２ａの操作角度を検出する操作ボリューム１２ｖと、が接続されている。そして、タッチセンサ１２ｓ及び操作ボリューム１２ｖから信号が入力されると、払出・発射制御回路３０１において、遊技球発射装置に設けられた発射用ソレノイド１２ｓｏを通電して遊技球を発射させる制御が実行される。
【００４３】
副制御基板で構成される副制御部２００は、主に遊技中や待機中等の各演出を制御し、サブＣＰＵ２００ａと、サブＲＯＭ２００ｂと、サブＲＡＭ２００ｃと、を備えている。なお、パチンコ機１においては、主制御部１００に対して、不正防止の観点により、当該主制御部１００から副制御部２００への一方向にのみ通信可能に接続されている。
【００４４】
サブＣＰＵ２００ａは、主制御部１００から送信されたコマンド等に基づいて、サブＲＯＭ２００ｂに格納されたプログラムを読み出して演算処理を行うとともに、演出表示装置４００に画像を表示させる制御である画像表示制御や、演出役物装置４１０を駆動させる駆動制御、演出照明装置４２０を点灯させる点灯制御、楽曲出力装置４３０から楽曲を出力させる楽曲出力制御等の演出に係る制御を実行する。サブＲＡＭ２００ｃは、サブＣＰＵ２００ａの演算処理時におけるデータのワークエリアとして機能する。
【００４５】
また、副制御部２００には、演出操作装置４５０の演出押下ボタン４５１への遊技者の押下操作を検出する押下操作検出スイッチ４５１ｓと演出回動レバー４５２への遊技者の回動操作を検出する回動操作検出スイッチ４５２ｓとが接続されている。押下操作検出スイッチ４５１ｓは、遊技者による演出押下ボタン４５１の押下操作を検出すると、演出押下操作検出信号を副制御部２００に出力し、また、回動操作検出スイッチ４５２ｓは、遊技者による演出回動レバー４５２の回動操作を検出すると、演出回動操作検出信号を副制御部２００に出力する。そして、副制御部２００は、これら演出押下操作検出信号や演出回動操作検出信号に基づき、演出表示装置４００、演出役物装置４１０、演出照明装置４２０、楽曲出力装置４３０等を用いた演出を実行する。
【００４６】
なお、パチンコ機１には、例えば１００Ｖの電圧からなる商用電源の電力を入力し、電源として機能する不図示の電源ユニットが備えられており、電源ユニットは、商用電源の１００Ｖの電圧を、例えば２４Ｖ（或いは１２Ｖでもよい）の電圧に降圧して各部に供給する第１降圧回路と、例えば５Ｖの電圧に降圧して各部に供給する第２降圧回路とを有している。なお、島設備に供給されている例えば２４Ｖの電圧からなる電力をそのまま入力するものでもよく、その場合は第１降圧回路は不要である。
【００４７】
第１降圧回路からの例えば２４Ｖの電圧の電力は、主制御部１００、副制御部２００、普通電動役物ソレノイド５２ｓｏ、大入賞口ソレノイド６１ｓｏ、大入賞口補助ソレノイド６２ｓｏ、特定領域開閉ソレノイド８０ｓｏ（後述する第２形態のパチンコ機の場合は備えず）、第１特別図柄表示器７１、第２特別図柄表示器７２、第１特別図柄保留表示器７３、第２特別図柄保留表示器７４、普通図柄表示器７５、普通図柄保留表示器７６、右打ち報知表示器７７、払出モータ３１２、発射用ソレノイド１２ｓｏ、演出表示装置４００、演出役物装置４１０、演出照明装置４２０、楽曲出力装置４３０等に送電され、それらの駆動電力や発光電力として用いられる。
【００４８】
また、第２降圧回路からの例えば５Ｖの電圧の電力は、第１一般入賞口検出スイッチ５８ｓ、第２一般入賞口検出スイッチ５９ｓ、第１始動口検出スイッチ５１ｓ、第２始動口検出スイッチ５２ｓ、ゲート検出スイッチ５３ｓ、大入賞口検出スイッチ６５ｓ、大入賞口排出検出スイッチ６８ｓ、特定領域検出スイッチ８８ｓ（後述する第２形態のパチンコ機の場合は備えず）、払出球計数スイッチ３１３ｓ、皿満タン検出スイッチ３１４ｓ、タッチセンサ１２ｓ、操作ボリューム１２ｖ、押下操作検出スイッチ４５１ｓ、回動操作検出スイッチ４５２ｓ等に送電され、それらのセンサやスイッチの駆動電力として用いられる。
【００４９】
また、主制御部１００においては、第１降圧回路からの例えば２４Ｖの電圧の電力をさらに例えば５Ｖの電圧の電力に降圧し、この例えば５Ｖの電圧の電力は、メインＣＰＵ１００ａ、メインＲＯＭ１００ｂ、メインＲＡＭ１００ｃ、払出・発射制御回路３０１の駆動電力として用いられる。
【００５０】
そして、副制御部２００においても、第１降圧回路からの例えば２４Ｖの電圧の電力をさらに例えば３．３Ｖ（或いは１．２Ｖでもよい）の電圧の電力に降圧し、この例えば３．３Ｖの電圧の電力は、サブＣＰＵ２００ａ、サブＲＯＭ２００ｂ、サブＲＡＭ２００ｃの駆動電力として用いられる。
【００５１】
２．第１形態のパチンコ機
ついで、第１形態としての特定領域を備えるパチンコ機１について、図２及び図３を参照しつつ図４乃至図８を用いて説明する。図４は本実施形態に係る第１形態の大入賞口装置の正面図、図５は本実施形態に係る第１形態の大入賞口装置の断面を示す前方斜視図、図６は本実施形態に係る第１形態の大入賞口装置の背面斜視図、図７は本実施形態に係る第１形態の大入賞口装置における特定領域開閉ソレノイド装置を分解した状態の背面斜視図、図８は本実施形態に係る特定領域開閉ソレノイド装置の前方斜視図である。
【００５２】
本実施形態に係るパチンコ機１は、第１形態のパチンコ機１と詳しくは後述する第２形態のパチンコ機１とのいずれか一方として構成することが可能なパチンコ機１である。第１形態のパチンコ機１は、大当り遊技において大入賞口６５に入球した遊技球が特定領域（確変領域）に入球した場合に、大当り遊技の終了後の遊技状態を上述した確変状態に設定することを決定する決定処理を行い、特定領域に入球せずに大当り遊技が終了した場合に、大当り遊技の終了後の遊技状態を上述した通常状態に設定することを決定する決定処理を行うように構成される。一方の第２形態のパチンコ機１は、内部抽選において大当り遊技に当選した際に、内部抽選に基づいて大当り遊技の終了後の遊技状態を通常状態か確変状態かのいずれか一方に決定する決定処理を行うように構成される。まず、以下に第１形態のパチンコ機１の詳細について説明する。
【００５３】
図２に示すように、大入賞口装置６０は、遊技盤３０における右側下方部分に配置されており、つまり第２遊技領域４０Ｒに発射された遊技球が流下する位置に配置されている。大入賞口装置６０は、図４に示すように、遊技盤３０の遊技球が流下する表面と同平面となる表面を有する本体６００を備えており、その前方側に遊技球が視認可能となる透過性材料からなるカバー部材６３０が本体６００に貼り合わされる形で固定されている。なお、カバー部材６３０の前方側表面には、上方側に位置する第１意匠板６４１と下方側に位置する第２意匠板６４２とが貼り付けられており、第１意匠板６４１の意匠により大入賞口６５の位置を示したり、第２意匠板６４２の意匠により特定領域の位置や排出領域の位置を示したりしている。
【００５４】
図５に示すように、カバー部材６３０には、本体６００の表面に向かって立設されるようにリブ状の通路壁６３１が形成されており、カバー部材６３０の裏面と本体６００の表面との間において通路壁６３１により囲まれる遊技球の流下領域が第２遊技領域４０Ｒの一部として形成されている。流下領域は、大まかに、第２始動口５２に入球しなかった遊技球が流下して導かれる導入領域６９０と、導入領域６９０に導かれた遊技球の大半が流下して導かれる中央領域６９１と、導入領域６９０から中央領域６９１に導かれなかった遊技球を該中央領域６９１を迂回させる形で導く迂回領域６９２と、中央領域６９１に導かれ、かつ大入賞口６５に入球しなかった遊技球や迂回領域６９２に導かれた遊技球を大入賞口装置６０の外部、詳細には第２一般入賞口５９（図２参照）の上方に導出する導出領域６９３と、で構成されている。なお、迂回領域６９２を形成する左側の迂回通路壁６０５と右側の迂回通路壁６０６とは、カバー部材６３０と一体に形成されているのではなく、本体６００に固定されている。
【００５５】
上記中央領域６９１には、上述した開閉扉６１と回動部材６２とが配置されており、図５及び図６に示すように、開閉扉６１は大入賞口ソレノイド６１ｓｏ（図３参照）を有する大入賞口ソレノイド装置６１０（大入賞口可変装置）によって回動するように駆動されて大入賞口６５を開閉し、回動部材６２は大入賞口補助ソレノイド６２ｓｏ（図３参照）を有する大入賞口補助ソレノイド装置６２０によって回動するように駆動される。なお、大入賞口ソレノイド装置６１０と大入賞口補助ソレノイド装置６２０との間を通るように配置された通路６０９は、第２始動口５２（図２参照）に入球した遊技球を上方の開口６０９ａから導入して下方から排出する。
【００５６】
この開閉扉６１は、大当り遊技の際に内部抽選で当選した大当りの種別に応じて設定されるラウンド数に亘って開閉を繰り返すように連続作動され、かつ開放された１ラウンドにあって所定数（例えば９個）の遊技球が大入賞口６５に入賞するか或いは所定時間（例えば３０秒）の経過によって閉塞するように駆動制御される。また、回動部材６２は、上述したように開閉扉６１の開放に合わせて上方に回動されて中央領域６９１を流下する遊技球が大入賞口６５に入球し易くなるように入賞を補助し、開閉扉６１の閉塞に合わせて下方に回動されて中央領域６９１の遊技球の流下を妨げないように退避する。
【００５７】
図５に示すように、大入賞口６５は、入球した遊技球が通過可能な通過領域６９５に連通しており、通過領域６９５の上方部分には大入賞口検出スイッチ６５ｓ（図３参照）が内蔵された大入賞口検出センサ６７が配置され、大入賞口検出センサ６７を遊技球が通過することで大入賞口６５の入賞が検出される。
【００５８】
そして、通過領域６９５の下方には、図５及び図６に示すように、本体６００の背面側、つまり大入賞口装置６０の外部に連通して遊技球を排出する第１連通孔８９と第２連通孔６９とが並設されている。第１連通孔８９は、上記通路壁６３１と一体に形成された部分と本体６００に形成された貫通孔とで構成されている。この第１連通孔８９の上部には、通路壁６３１の内壁に前後方向に溝状に形成され、特定領域検出センサ８８が挿入可能な溝部６３２と、特定領域検出センサ８８を引っ掛けて固定する爪部６３５（図７参照）とを有しており、これら溝部６３２及び爪部６３５によってセンサ取付部８８Ａが構成されている。このセンサ取付部８８Ａに取付けられる特定領域検出センサ８８は、特定領域検出スイッチ８８ｓ（図３参照）が内蔵されており、第１連通孔８９に遊技球が入球したか否かを検出可能となっている。そして、特定領域検出センサ８８は、詳しくは後述するように、遊技球が通過する孔の部分において、大当り遊技の終了後に遊技状態を確変状態に設定するための特定領域６９７を構成している。
【００５９】
また、第２連通孔６９も同様に上記通路壁６３１と一体に形成された部分と本体６００に形成された貫通孔とで構成されており、この第２連通孔６９は、大入賞口６５に入球した遊技球を排出するための排出領域６９６を構成している。第２連通孔６９の上部には、通路壁６３１の内壁に前後方向に溝状に形成され、大入賞口排出検出センサ６８が挿入可能な溝部６３２（図５参照）と、大入賞口排出検出センサ６８を引っ掛けて固定する爪部６３４（図７参照）とを有しており、これら溝部６３２及び爪部６３４によってセンサ取付部６８Ａが構成されている。このセンサ取付部６８Ａに取付けられる大入賞口排出検出センサ６８は、大入賞口排出検出スイッチ６８ｓ（図３参照）が内蔵されており、排出領域６９６に遊技球が入球したか否かを検出可能となっている。
【００６０】
なお、第１連通孔８９とは、通過領域６９５のうちの下方側で左右方向に延びる部分よりも下方側を指し、換言すると、特定領域検出センサ８８の上方で遊技球を受け入れ可能な開口部分までを指す。また同様に、第２連通孔６９とは、通過領域６９５のうちの下方側で左右方向に延びる部分よりも下方側を指し、換言すると、大入賞口排出検出センサ６８の上方で遊技球を受け入れ可能な開口部分までを指す。
【００６１】
図６及び図７に示すように、本体６００の背面側には、第１連通孔８９及び第２連通孔６９の上方部分に、特定領域状態変更装置としての特定領域開閉ソレノイド装置８００が備えられている。特定領域開閉ソレノイド装置８００は、図８に示すように、駆動源としての特定領域開閉ソレノイド８０ｓｏ（図３参照）を内蔵する形で備えていると共に、第１リンク８１０、第２リンク８２０、スライド部材８３０を備えている。特定領域開閉ソレノイド８０ｓｏは、第１リンク８１０に連結されており、第１リンク８１０には第２リンク８２０が連結されていて、さらに、第２リンク８２０は、前方側に上下方向が厚み方向となる板状の進退部（移動部）８０を有して前後方向にスライド移動可能なスライド部材８３０に連結されていて、特定領域開閉ソレノイド８０ｓｏが非通電となるＯＦＦ状態でスライド部材８３０が前方に位置するように構成されている。これにより、特定領域開閉ソレノイド８０ｓｏが通電されてＯＮ状態として駆動されると、第１リンク８１０が左右方向に回動され、さらに第２リンク８２０が前後方向に回動され、それによってスライド部材８３０が前後方向にスライド移動することで、進退部８０が後方（本体６００の背面側に向けて）に移動される。従って、特定領域開閉ソレノイド８０ｓｏの駆動がＯＮ／ＯＦＦ制御されることで、進退部８０が進退制御され、詳しくは後述するように第１連通孔８９を開閉制御することで、特定領域検出センサ８８（特定領域６９７）への遊技球の入球が困難な状態と容易な状態とを変更可能にする。なお、特定領域開閉ソレノイド８０ｓｏがＯＦＦ状態で進退部８０が前方の位置となるものを説明しているが、反対に、ＯＦＦ状態で進退部８０が後方の位置となり、ＯＮ状態で進退部８０が前方の位置となるものであっても構わない。
【００６２】
また、図７に示すように、特定領域開閉ソレノイド装置８００には、フランジ状に形成された第１フランジ部８０１及び第２フランジ部８０２が備えられており、第１フランジ部８０１及び第２フランジ部８０２のそれぞれには、第１貫通孔８０１ａ及び第２貫通孔８０２ａが貫通形成されている。一方、本体６００には、特定領域開閉ソレノイド装置８００を取付ける取付部としての台座６０２，６０３が形成されており、第１貫通孔８０１ａ及び第２貫通孔８０２ａのそれぞれにネジ６８８，６８９を貫通させて、第１貫通孔８０１ａ及び第２貫通孔８０２ａと台座６０２，６０３とがネジ６８８，６８９の螺合によって締結されることで、特定領域開閉ソレノイド装置８００が本体６００に取付けられて固定される。
【００６３】
このように特定領域開閉ソレノイド装置８００が本体６００に取付けられると、図５に示すように、スライド部材８３０（図８参照）の板状の進退部８０が、本体６００に形成された矩形状の貫通孔６０１に進退自在に貫通配置されて、特定領域開閉ソレノイド８０ｓｏがＯＦＦ状態であることで、第１連通孔８９の上方に進出した位置に配置され、第１連通孔８９に遊技球が進入不能となるように配置され、つまり特定領域検出センサ８８（特定領域６９７）を閉じた状態（入球が困難な状態）となる。進退部８０の上面８０ａは、通過領域６９５における遊技球の通過方向における直ぐ上流側に位置する通路壁６３１の内面６３１ａと上下方向の同じ位置か或いは僅かに下方となる位置に配置され、上記通過方向の直ぐ下流側に位置する通路壁６３１の内面６３１ｂよりも僅かに上方となる位置に配置される。これにより、通過領域６９５を通過するように流下してくる遊技球が進退部８０に引っ掛かることなく、第２連通孔６９に案内されて入球する。なお、進退部８０の上面８０ａの上下方向の高さは、通路壁６３１の上流側の内面６３１ａと通路壁６３１の下流側の内面６３１ｂとの上下方向における高さの範囲内にあればよく、本実施形態では、説明の便宜上、第１連通孔８９の上部にあるものとして扱うが、通過領域６９５の下方に配置されているものであってもよい。
【００６４】
このように構成された第１形態のパチンコ機１は、第１始動口５１又は第２始動口５２（図２参照）に遊技球が入球したことに基づき上記主制御部１００（図３参照）により内部抽選が行われ、つまり予め設けられた複数の特別図柄の中のいずれかの当否に関する抽選が行われる。複数の特別図柄の中のいずれかに当選し、大当り遊技が開始されると、可動部材としての開閉扉６１が当選した特別図柄の種別に応じたラウンド数で開放制御される。また、特別図柄の種別の中には、特別ラウンドが実行される特別図柄があり、特別ラウンドにあって、上記特定領域開閉ソレノイド８０ｓｏ（ソレノイド）が所定のパターンでＯＮ状態に制御され、つまり進退部８０が所定のパターンで本体６００の貫通孔６０１に退避して、つまり第１連通孔８９を開いた状態となり、特定領域検出センサ８８（特定領域６９７）に所定のパターンで遊技球が入球可能な状態（入球が容易な状態）となるように制御される（図３、図５乃至図８参照）。そして、遊技球が入球したことが特定領域検出センサ８８の特定領域検出スイッチ８８ｓにより検出されると、主制御部１００は、大当り遊技の終了後における遊技状態を上述の確変状態に設定する決定処理を行い、大当り遊技の終了後においては、内部抽選で次に複数の特別図柄の中のいずれかに当選するまで確変状態を継続する。一方、特定領域６９７に遊技球が入球することなく、大当り遊技が終了すると、主制御部１００は、大当り遊技の終了後における遊技状態を上述の通常状態に設定する。
【００６５】
なお、本実施形態のパチンコ機１にあっては、上記確変状態に設定された場合は、主制御部１００がゲート検出スイッチ５３ｓによる遊技球の入球に基づく普通図柄の当選確率も上昇するように抽選を行うため、上述した可動片５２ａが開状態に制御され易くなる。このため、遊技者は第２遊技領域４０Ｒを狙って遊技球を発射するように遊技を進行させることで、第２始動口５２に遊技球を入球させ易くなり、いわゆる右打ちの遊技によって確変状態の遊技を進行させることで、左打ちの遊技を行うよりも遊技者にとって有利な状態となる。
【００６６】
一方、上記通常状態に設定された場合は、主制御部１００は、所定回数の内部抽選（例えば１００回）を実行する間、ゲート検出スイッチ５３ｓによる遊技球の入球に基づく普通図柄の当選確率も上昇するように抽選を行い、その間に特別図柄に当選しなかった場合は、普通図柄の当選確率を確変状態よりも低い通常状態に戻す、いわゆる時短の遊技状態を実行することが可能となっている。
【００６７】
３．第２形態のパチンコ機
次に、第２形態としての特定領域を備えないパチンコ機１について、図２及び図３を参照しつつ図９乃至図１２を用いて説明する。図９は本実施形態に係る第２形態の大入賞口装置の断面を示す前方斜視図、図１０は本実施形態に係る第２形態の大入賞口装置の背面斜視図、図１１は本実施形態に係る第２形態の大入賞口装置における入球遮断部材を分解した状態の背面斜視図、図１２は本実施形態に係る入球遮断部材の前方斜視図である。なお、以下の第２形態のパチンコ機１の説明において、第１形態と同様の部分については、同符号を用いて、その説明を省略する。
【００６８】
第２形態のパチンコ機１は、特定領域６９７を使用しないもので、詳細には、第１始動口５１又は第２始動口５２（図２参照）に遊技球が入球したことに基づき上記主制御部１００（図３参照）により内部抽選が行われた際に、複数の特別図柄のうちの、確変状態に対応する特別図柄と通常状態に対応する特別図柄との当否に関する抽選を行って、大当り遊技の終了後における遊技状態を決定するものである。従って、図３中に破線で示す、特定領域検出スイッチ８８ｓ及び特定領域開閉ソレノイド８０ｓｏは不要であって備えてない。そして、第１連通孔８９に遊技球を入球させる必要がないので、第１連通孔８９に遊技球が入球しないようにする進出部９０を固定配置するものである。
【００６９】
詳細には、図９に示すように、進出部９０は、上記進退部８０（図５参照）と略同形状でかつ略同じ位置に配置され、具体的には、進出部９０の上面９０ａは、通過領域６９５における遊技球の通過方向における直ぐ上流側に位置する通路壁６３１の内面６３１ａと上下方向の同じ位置か或いは僅かに下方となる位置に配置され、上記通過方向の直ぐ下流側に位置する通路壁６３１の内面６３１ｂよりも僅かに上方となる位置に配置される。
【００７０】
図１１及び図１２に示すように、進出部９０を有する設置部材９００は、例えば樹脂材料で一体成形された一部品であり、背面視でＬ字状の本体９０３を有しており、進出部９０は、上下方向を厚み方向とする板形状に形成され、本体９０３の下方側から前方に延出されるように構成されている。また、本体９０３は、Ｌ字状の両端部のそれぞれにフランジ状に形成された第１フランジ部９０１と第２フランジ部９０２とを有しており、第１フランジ部９０１には第１貫通孔９０１ａが貫通形成され、第２フランジ部９０２には第２貫通孔９０２ａが貫通形成されている。
【００７１】
図１１に示すように、特定領域開閉ソレノイド装置８００（図７参照）を備えていない状態の本体６００には、上述した取付部としての台座６０２，６０３が形成されており、第１貫通孔９０１ａ及び第２貫通孔９０２ａのそれぞれにネジ６８８及びネジ６８９（図７参照）を貫通させて、第１貫通孔９０１ａ及び第２貫通孔９０２ａと台座６０２，６０３とがネジ６８８，６８９の螺合によって締結されることで、図１０に示すように、設置部材９００が本体６００に取付けられて固定配置される。これにより、板状の進出部９０が本体６００の矩形状の貫通孔６０１を通って貫通配置され、第１連通孔８９の上部に進出した状態で、第１連通孔８９への遊技球の入球を阻止することになる。なお、設置部材９００は、特定領域開閉ソレノイド装置８００に対して軽量であるため、図１０に示すようにネジ６８８を用いず、一本のネジ６８９だけ（或いはネジ６８８だけでもよい）によって設置部材９００を本体６００に固定するようにしてもよい。また、台座６０２，６０３は、特定領域開閉ソレノイド装置８００と設置部材９００との共通の取付部であると言える。
【００７２】
このように構成されている設置部材９００は、つまり特定領域開閉ソレノイド装置８００の代わりとして取付けられる形状で構成されており、設置部材９００の高さ及び幅は特定領域開閉ソレノイド装置８００と略同じで、設置部材９００の第１貫通孔９０１ａ及び第２貫通孔９０２ａの位置も、特定領域開閉ソレノイド装置８００の第１貫通孔８０１ａ及び第２貫通孔８０２ａと略同じ位置に形成されている。従って、本体６００等のパチンコ機１における他の部品は、第１形態のパチンコ機１と第２形態のパチンコ機１とで同じ共通部品で構成されている。そのため、第２形態のパチンコ機１を製造する際に、新たに設計し直す部品を大幅に省略することができ、製造時にあっても多くの共通部品をそのまま使用できるため、製造コストも削減も可能となる。
【００７３】
また、第２形態のパチンコ機１では、図９に示すように、第１連通孔８９のセンサ取付部８８Ａには、特定領域検出センサ８８（特定領域６９７）（図５参照）が配置されてない。そのため、特定領域検出センサ８８の分、第２形態のパチンコ機１をコストダウンすることができる。
【００７４】
なお、第２形態のパチンコ機１にあっても、念のため特定領域検出センサ８８を取付けておき、例えば設置部材９００の破損時や取付け不備の際に、大入賞口排出検出センサ６８と同じ機能として、大入賞口６５に入球した遊技球が通過領域６９５から所定時間以内に排出されたか否かを検出するようにしても構わない。
【００７５】
４．本実施形態のまとめ
本実施形態に係る遊技機（１）は、
可動部材（６１）を駆動することで大入賞口（６５）への遊技球の入球が困難な状態と容易な状態とに変更可能な大入賞口可変装置（６１０）を有する大入賞口装置（６０）を備えた遊技機（１）において、
前記大入賞口装置（６０）は、
前記大入賞口（６５）に入賞した遊技球が通過可能な通過領域（６９５）と、
遊技球が通過可能な形状で前記通過領域（６９５）から前記大入賞口装置（６０）の外部に連通する第１連通孔（８９）と、
遊技球が通過可能な形状で前記通過領域（６９５）から前記大入賞口装置（６０）の外部に連通する第２連通孔（６９）と、
前記第１連通孔（８９）に遊技球が入球不能となるように前記第１連通孔（８９）又は前記通過領域（６９５）に進出した状態で固定配置される進出部（９０）を有する設置部材（９００）と、を備えることを特徴とする。
【００７６】
これにより、第１連通孔８９に配置される特定領域６９７を備えた第１形態のパチンコ機１を構成できる状態から、簡易な構成の設置部材９００を取付けるだけで、容易に第２形態のパチンコ機１として構成し直すことができる。この際、設置部材９００以外は、新たに第２形態のパチンコ機１を専用に設計し直して製造することを不要とすることができるので、コストダウンを可能とすることができる。
【００７７】
また、本実施形態に係る遊技機（１）は、
前記第１連通孔（８９）に遊技球の通過を検出する遊技球検出センサ（８８）を取付可能なセンサ取付部（８８Ａ）を有することを特徴とする。
【００７８】
これにより、第１形態のパチンコ機１を構成する場合に、特定領域６９７としての特定領域検出センサ８８を容易に取付けることが可能であるものでありながら、第２形態のパチンコ機１を構成する場合には、特定領域検出センサ８８を不要として、コストダウンを可能とすることができる。
【００７９】
また、本実施形態に係る遊技機（１）は、
可動部材（６１）を駆動することで大入賞口（６５）への遊技球の入球が困難な状態と容易な状態とに変更可能な大入賞口可変装置（６１０）を有する大入賞口装置（６０）を備えた遊技機（１）において、
前記大入賞口装置（６０）は、
前記大入賞口（６５）に入賞した遊技球が通過可能な通過領域（６９５）と、
遊技球が通過可能な形状で前記通過領域（６９５）から前記大入賞口装置（６０）の外部に連通する第１連通孔（８９）と、
遊技球が通過可能な形状で前記通過領域（６９５）から前記大入賞口装置（６０）の外部に連通する第２連通孔（６９）と、
前記第１連通孔（８９）に遊技球が入球不能となるように前記第１連通孔（８９）又は前記通過領域（６９５）に進出した状態で固定配置される進出部（９０）を有する設置部材（９００）、及び、前記第１連通孔（８９）を遊技球が通過した場合に遊技状態を通常状態から内部抽選において特別遊技の当選確率を高くする確変状態に設定する特定領域（６９７）と、駆動源（８０ｓｏ）の駆動により移動することで前記特定領域（６９７）への遊技球の入球が困難な状態と容易な状態とに変更可能な移動部（８０）とを有する特定領域状態変更装置（８００）、の一方を取付可能な取付部（６０２，６０３）と、を備えることを特徴とする。
【００８０】
これにより、簡易な構成の設置部材９００を取付けるだけで、容易に第２形態のパチンコ機１として構成することができ、また、特定領域開閉ソレノイド８０ｓｏとそれに駆動される進退部８０とを取付けることで、容易に特定領域６９７を備えた第１形態のパチンコ機１として構成できる。この際、新たにパチンコ機１を設計し直すことを不要とすることができるので、コストダウンを可能とすることができる。
【００８１】
また、本実施形態に係る遊技機（１）は、
前記大入賞口装置（６０）は、遊技盤面の一部を構成する本体（６００）を有し、
前記本体（６００）は、前記進出部（９０）が貫通配置される貫通孔（６０１）を有し、
前記設置部材（９００）は、前記本体（６００）の背面側から取付けられることを特徴とする。
【００８２】
これにより、特定領域開閉ソレノイド８０ｓｏとそれに駆動される進退部８０との代わりとして設置部材９００を取付けることができる。また、設置部材９００が本体６００の背面側に取付けられることで、遊技者から見えるのは進出部９０だけとなり、見栄えを良くすることができる。
【００８３】
また、本実施形態に係る遊技機（１）は、
前記第１連通孔（８９）と前記第２連通孔（６９）とは、前記通過領域（６９５）の下方に並列して配置されたことを特徴とする。
【００８４】
これにより、進出部９０によって通過領域６９５を通過する遊技球を並列して配置された第２連通孔６９に導き易くすることができる。
【００８５】
また、本実施形態に係る遊技機（１）は、
前記第１連通孔（８９）は、前記通過領域（６９５）において遊技球の通過方向における前記第２連通孔（６９）の上流側に配置されたことを特徴とする。
【００８６】
これにより、進出部９０によって通過領域６９５を通過方向に通過する遊技球を第２連通孔６９に導き易くすることができる。また、仮に第２連通孔６９が上流側にある場合は、通過領域６９５を途中で塞いで第１連通孔８９の方向に行かないようにする必要があり、見栄えが悪くなる虞があるが、第２連通孔６９が下流側にあることで、第１連通孔８９を塞いで通過させるだけでよく、見栄えを良くすることができる。
【００８７】
また、本実施形態に係る遊技機（１）は、
前記大入賞口装置（６０）は、前記通過領域（６９５）を形成する壁部（６３１）を有し、
前記設置部材（９００）の進出部（９０）は、上下方向が厚さ方向となる板状からなり、
前記進出部（９０）の表面は、前記進出部（９０）に対して遊技球の通過方向における上流側にある前記壁部（６３１）の内面（６３１ａ）よりも下方となるように配置されたことを特徴とする。
【００８８】
これにより、通路壁６３１によって通過領域６９５を通過してくる遊技球が進出部９０に引っ掛からず、玉詰まりの防止を図ることができる。
【００８９】
また、本実施形態に係る遊技機（１）は、
前記センサ取付部（８８Ａ）に、前記遊技球検出センサ（８８）が配置されていないことを特徴とする。
【００９０】
これにより、特定領域検出センサ８８が配置されない分、第２形態のパチンコ機１のコストダウンを図ることができる。
【００９１】
また、本実施形態に係る遊技機（１）は、
前記設置部材（９００）は、前記進出部（９０）が一体成形された樹脂材料の一部品からなることを特徴とする。
【００９２】
これにより、進出部９０を有する設置部材９００を安価に製造することができ、第２形態のパチンコ機１のコストダウンを図ることができる。
【００９３】
５．他の実施形態の可能性
なお、以上説明した本実施形態のパチンコ機１では、特定領域開閉ソレノイド装置８００の進退部８０と設置部材９００の進出部９０とが略同形状で板状に形成されているものを説明したが、これに限らず、例えば棒状である等、遊技球の第１連通孔８９への入球が困難にできる形状であれば、どのような形状でもよく、さらに進退部８０と進出部９０との形状が異なるものであってもよい。この場合、本体６００の貫通孔６０１は、矩形状に限らず、進退部８０と進出部９０との両方が通過できる形状であればよい。
【００９４】
また、本実施形態のパチンコ機１では、特定領域開閉ソレノイド装置８００が第１連通孔８９の上部で進退部８０を進退させることで特定領域検出センサ８８（特定領域６９７）を開閉するものを説明したが、これに限らず、特定領域開閉ソレノイド装置８００が第１連通孔８９の上部で扉部材等を回動させて特定領域検出センサ８８を開閉するものであっても構わない。この場合、設置部材９００の進出部９０は、扉部材等が特定領域検出センサ８８を閉じる位置に進出するように固定配置されることになる。
【００９５】
また、本実施形態のパチンコ機１では、特定領域開閉ソレノイド装置８００と設置部材９００とが本体６００の背面側から取付けられるものを説明したが、これに限らず、前方側から取付けて、意匠を施した意匠板等で覆うようにしても構わず、さらには、上下方向等、どのような方向から取付けるようにしても構わない。
【００９６】
また、本実施形態のパチンコ機１では、第１連通孔８９と第２連通孔６９とが並列して配置されているものを説明したが、これに限らず、離れた部位に配置されていてもよい。つまり第１連通孔８９と第２連通孔６９とを離して配置する場合は、大入賞口６５に入球した遊技球を通過させる通過領域にあって離れた場所にあることになる。この場合にあって、第１連通孔８９が遊技球の通過方向の上流側にあれば、第１連通孔８９への入球を進出部９０で防げばよく、また、第１連通孔８９が遊技球の通過方向の下流側にあれば、進出部９０によって第２連通孔６９に遊技球が導かれるように、言い換えると、第１連通孔８９に向かう通過領域を防ぐように進出部９０を配置することになる。また、通過領域が第１連通孔８９へ向かう通路と第２連通孔６９へ向かう通路とに二股形状に分岐するものであってもよく、この場合も、第１連通孔８９へ向かう通路が進出部９０によって遊技球が入球しないように構成されればよい。従って、進出部９０は、第１連通孔８９の内部に配置するものに限らず、通過領域のいずれかの位置に配置される構成であってもよいことになる。
【００９７】
また、本実施形態のパチンコ機１では、特定領域６９７が大当り遊技の終了後において確変状態に決定処理するための確変領域として用いられるものを説明したが、これに限らず、大入賞口６５が連続開放される大当り遊技にあって、次の大入賞口６５の開放を継続するか否かを決定処理するための継続領域として用いたものでも構わない。この場合は、第１形態のパチンコ機１では、特定領域６９７の遊技球の通過が大当り遊技の継続判定を行うものとして構成され、第２形態のパチンコ機１では、大当り遊技にあって継続判定を実行しないものとして構成されることになる。
【００９８】
また、本実施形態のパチンコ機１では、第１始動口５１と第２始動口５２とを備える、いわゆる一種一種のパチンコ機であるものを説明したが、これに限らず、始動口が１つだけの、いわゆる一種のパチンコ機であってもよく、さらには、一種二種のパチンコ機や三種のパチンコ機であっても構わない。
【符号の説明】
【００９９】
１…遊技機（パチンコ機）
４０…遊技領域
６０…大入賞口装置
６１…可動部材（開閉扉）
６５…大入賞口
６９…第２連通孔
８０…移動部（進退部）
８０ｓｏ…駆動源（特定領域開閉ソレノイド）
８８…遊技球検出センサ（特定領域検出センサ）
８８Ａ…センサ取付部
８９…第１連通孔
９０…進出部
６０２…取付部（台座）
６０３…取付部（台座）
６１０…大入賞口可変装置（大入賞口ソレノイド装置）
６９５…通過領域
６９７…特定領域
８００…特定領域状態変更装置（特定領域開閉ソレノイド装置）
９００…設置部材
【図１】
2019216858.tif 000003
【図２】
2019216858.tif 000004
【図３】
2019216858.tif 000005
【図４】
2019216858.tif 000006
【図５】
2019216858.tif 000007
【図６】
2019216858.tif 000008
【図７】
2019216858.tif 000009
【図８】
2019216858.tif 000010
【図９】
2019216858.tif 000011
【図１０】
2019216858.tif 000012
【図１１】
2019216858.tif 000013
【図１２】
2019216858.tif 000014